(57)【要約】【課題】  フォークリフト等の荷役車両に適用され、とりわけ線材がコイル状に巻かれた線材コイル等の筒状物を運搬する際に用いられる筒状物運搬装置に於て、設備費が余り掛からないと共に、ラム作業とフォーク吊下げ作業の両方を迅速に切り換えて行える様にする。【解決手段】  キャリッジ２、フォーク３、ラム４、駆動手段５とで構成し、とりわけ、キャリッジ２に左右方向に移動可能に設けられてフォーク３の上方近傍に位置する使用位置とこれから左右方向へ退避される不使用位置とをとり得るラム４と、キャリッジ２に設けられてラム４を使用位置から不使用位置まで移動させる駆動手段５とを備えている。【選択図】        図１
2009073612.tif 000002
【特許請求の範囲】
【請求項１】
昇降可能なキャリッジと、キャリッジに設けられるフォークと、キャリッジに左右方向に移動可能に設けられてフォークの上方近傍に位置する使用位置とこれから左右方向へ退避される不使用位置とをとり得るラムと、キャリッジに設けられてラムを使用位置から不使用位置まで移動させる駆動手段と、から構成した事を特徴とする筒状物運搬装置。
【請求項２】
フォークは、左右一対のものがキャリッジに対して左右方向に移動可能に設けられていると共に、ラムは、左右一対のものがキャリッジに対して左右方向に移動可能に設けられて居り、駆動手段は、各ラムを個別に移動させる左右一対のシリンダにされている請求項１に記載の筒状物運搬装置。
【発明の詳細な説明】
【技術分野】
【０００１】
本発明は、例えばフォークリフト等の荷役車両に適用され、とりわけ線材がコイル状に巻かれた線材コイル等の筒状物を運搬する際に用いられる筒状物運搬装置の改良に関する。
【背景技術】
【０００２】
従来、線材コイル等の筒状物は、中心穴を水平にして置かれたり、中心穴を垂直にして専用の架台に挿通されて載置されている。
而して、中心穴を水平にして置かれた筒状物は、中心穴にラムが挿通されて所謂ラム作業に依り運搬されると共に、架台に載せられた筒状物は、架台の吊り杆にフォークが挿通されて所謂フォーク吊下げ作業に依り運搬される。
つまり、この様な筒状物の運搬に際しては、フォークリフトとラムリフトの両方を用意したり、或は例えば特許文献１に記載されている様なキャリッジにフォークとラムの何れか一方を懸架できる筒状物運搬装置が必要であった。
【０００３】
【特許文献１】実開平７−２８１９８号公報
【発明の開示】
【発明が解決しようとする課題】
【０００４】
ところが、前者の場合は、フォークリフトとラムリフトの両方が必要であるので、設備費が非常に高く付く難点があった。他方、後者の場合は、キャリッジにフォークとラムの何れか一方を交換して取付けねばならないので、ラム作業とフォーク吊下げ作業の両方を迅速に切り換えて行えなかった。
【０００５】
本発明は、叙上の問題点に鑑み、これを解消する為に創案されたもので、その課題とする処は、設備費が余り掛からないと共に、ラム作業とフォーク吊下げ作業の両方を迅速に切り換えて行える筒状物運搬装置を提供するにある。
【課題を解決するための手段】
【０００６】
本発明の筒状物運搬装置は、基本的には、昇降可能なキャリッジと、キャリッジに設けられるフォークと、キャリッジに左右方向に移動可能に設けられてフォークの上方近傍に位置する使用位置とこれから左右方向へ退避される不使用位置とをとり得るラムと、キャリッジに設けられてラムを使用位置から不使用位置まで移動させる駆動手段と、から構成した事に特徴が存する。
【０００７】
駆動手段に依りラムを使用位置にすると、フォークの上方近傍にラムが位置される。そして、中心穴が水平にされた筒状物の中心穴に、ラムとフォークを挿通して持上げると、ラムに依り筒状物を担時して運搬する事ができる。この時、フォークは、ラムの下方近傍に位置してこれと一緒に筒状物の中心穴に挿通されるので、ラム作業に支障を与える事がない。
駆動手段に依りラムを不使用位置にすると、フォークの上方には、ラムが無くなって解放される。そして、筒状物が載せられた架台の吊り杆の上部に、フォークを挿通して持ち上げると、フォークに依り架台と一緒に筒状物を運搬する事ができる。この時、ラムは、フォークの上方近傍から左右一方向に移動されるので、フォーク吊下げ作業に支障を与える事がない。
【０００８】
駆動手段に依りラムを使用位置から不使用位置まで左右方向へ移動させるだけで、ラムをフォークの上方近傍に位置させたり、或はフォークの上方近傍からラムを無くしてフォークの上方を解放させたりできるので、ラム作業とフォーク吊下げ作業の両方を迅速に切換えて行う事ができる。フォークリフト等の荷役車両のみを利用して、ラム作業とフォーク吊下げ作業が行えるので、設備費が余り掛からない。
【０００９】
フォークは、左右一対のものがキャリッジに対して左右方向に移動可能に設けられていると共に、ラムは、左右一対のものがキャリッジに対して左右方向に移動可能に設けられて居り、駆動手段は、各ラムを個別に移動させる左右一対のシリンダにされているのが好ましい。この様にすれば、ラム作業及びフォーク吊下げ作業を左右バランス良く安定して行なえると共に、これらの作業を安全且つ迅速に遂行できる。
【発明の効果】
【００１０】
本発明に依れば、次の様な優れた効果を奏する事ができる。
（１）  キャリッジ、フォーク、ラム、駆動手段とで構成し、とりわけ、キャリッジに左右方向に移動可能に設けられてフォークの上方近傍に位置する使用位置とこれから左右方向へ退避される不使用位置とをとり得るラムと、キャリッジに設けられてラムを使用位置から不使用位置まで移動させる駆動手段とを備えているので、設備費が余り掛からないと共に、ラム作業とフォーク吊下げ作業の両方を迅速に切り換えて行える。
【発明を実施するための最良の形態】
【００１１】
以下、本発明の実施の形態を、図面に基づいて説明する。
図１は、本発明の筒状物運搬装置を示す側面図。図２は、ラム作業を行う場合を示す図１の正面図。図３は、フォーク吊下げ作業を行う場合を示す図２と同様図である。
【００１２】
筒状物運搬装置１は、キャリッジ２、フォーク３、ラム４、駆動手段５とからその主要部が構成されて居り、フォークリフト等の荷役車両に適用される。
【００１３】
キャリッジ２は、昇降可能なもので、この例では、左右のリフトブラケット６と、これらに設けられたガイドローラ（エンドローラ及びサイドローラ）７と、両リフトブラケット６の前側下半に設けられた上下のフィンガバー８とを備えている。
リフトブラケット６は、図略しているが、荷役車両の前側に設けられた昇降装置に依り昇降される様になっている。
フィンガバー８は、左右方向に延びる角材状を呈し、窪所が形成されてフォーク３を横動可能に掛止する為の上下の突条９を備えている。
【００１４】
フォーク３は、キャリッジ２に設けられるもので、この例では、左右一対のものにしてあり、前後方向に延びる水平片１０とこれの後端から上方に樹立する垂直片１１とを備えて側面略Ｌ型を呈している。
フォーク３の垂直片１１の背面には、フィンガバー８の突条９に掛合される上下のフック１２を備えて居り、フォーク３の水平片９及び垂直片１０は、断面略矩形状を呈している。
フォーク３は、フィンガバー８に対して左右方向に移動可能に懸架されて居り、左右のものが中央に近接して位置されている。
フォーク３は、水平片１０が垂直片１１の上端から前方へ延出すべく、通常とは逆さまの状態（所謂逆フォーク）にしてキャリッジ２のフィンガバー８に懸架されている。この様にすれば、垂直片１１の高さ分だけ水平片１０の位置を高くする事ができる。
【００１５】
ラム４は、キャリッジ２に左右方向に移動可能に設けられてフォーク３の上方近傍に位置する使用位置とこれから左右方向へ退避される不使用位置とをとり得るもので、この例では、左右一対のものにしてあり、前後方向に延びる円柱状（断面円状）を呈して居り、キャリッジ２のリフトブラケット６の前側上半に設けられた案内機構１３に依り左右方向に移動可能に案内される。ラム４の先部は、筒状物Ａに挿入し易い様に裁頭円錐形に為されている。
【００１６】
案内機構１３は、リフトブラケット６の前側上半に設けられた上下の横材１４と、これらの端部同士を連結する左右のサイドプレート１５と、これらの間に設けられた上下のガイドシャフト１６と、横材１４とガイドシャフト１６との間に設けられた上下のセンタプレート１７と、ガイドシャフト１６に摺動可能に挿通された左右のスライドプレート１８とを備えている。
而して、各ラム４は、案内機構１３の各スライドプレート１８の前側下部にその後端（基端）が固定されている。
【００１７】
駆動手段５は、キャリッジ２に設けられてラム４を使用位置から不使用位置まで移動させるもので、この例では、案内機構１３のサイドプレート１５とスライドプレート１８との間に設けられて各スライドプレート１８を左右方向に移動させる左右のシリンダ（油圧シリンダ）１９にしてある。
【００１８】
線材コイル等の筒状物Ａは、中心穴Ｂを水平にして置かれたり、中心穴Ｂを垂直にして専用の架台Ｃに挿通されて載置される。架台Ｃは、筒状物Ａを担時する円板状の受板Ｄと、これの中心に樹立されて筒状物Ａの中心穴Ｂが挿通される倒立略Ｕ型の吊り杆Ｅとを備えている。吊り杆Ｅは、水平片とこれの両端から下方に延びる垂直片とを備えて居り、水平片と垂直片との隅角部は、円弧状にしてある。
【００１９】
次に、この様な構成に基づいてその作用を述解する。
図２に示す如く、駆動手段５のシリンダ１９が短縮作動されると、案内機構１３の左右のスライドプレート１８及び左右のラム４が中央に近接して位置されて使用位置にされる。つまり、中央に近接して位置されたフォーク３の上方近傍に位置される。そして、この様な状態にされたラム４とフォーク３を、中心穴Ｂが水平にされた筒状物Ａの中心穴Ｂに挿通して持ち上げると、左右のラム４に依り筒状物Ａを担時して運搬する事ができる。この時、左右のフォーク３は、左右のラム４の下方近傍に位置してこれと一緒に筒状物Ａの中心穴Ｂに挿通されるので、ラム作業に支障を与える事がない。
各ラム４は、断面円状であるので、円筒状の筒状物Ａと適正に当合し、筒状物Ａに損傷を与える事がない。
【００２０】
図３に示す如く、駆動手段５のシリンダ１９が伸長作動されると、案内機構１３の左右のスライドプレート１８及び左右のラム４が左右両側方に大きく離間して位置されて不使用位置にされる。つまり、中央に近接して位置されたフォーク３の上方には、ラム４が無くなって解放される。そして、この様にされたフォーク３を、筒状物Ａが載せられた架台Ｃの吊り杆Ｅの上部に挿通して持ち上げると、架台Ｃと一緒に筒状物Ａを運搬する事ができる。
この時、ラム４は、フォーク３の上方近傍から左右一方向に移動されるので、フォーク吊下げ作業に支障を与える事がない。
各フォーク３の水平片１０は、断面略矩形状であるので、架台Ｃの吊り杆Ｅの水平片と適正に当合し、架台Ｃを安定して吊下げる事ができる。
【００２１】
駆動手段５に依りラム４を使用位置から不使用位置まで左右方向へ移動させるだけで、ラム４をフォーク３の上方近傍に位置させたり、或はフォーク３の上方近傍からラム４を無くしてフォーク３の上方を解放させたりできるので、ラム作業とフォーク吊下げ作業の両方を迅速に切換えて行う事ができる。フォークリフト等の荷役車両のみを利用して、ラム作業とフォーク吊下げ作業が行えるので、設備費が余り掛からない。
【００２２】
尚、フォーク３は、先の例では、所謂逆フォークにしたが、これに限らず、例えば通常の状態のままでも良い。
フォーク３は、先の例では、左右一対のものであったが、これに限らず、例えば単一のものでも良い。
ラム４は、先の例では、左右一対のものであったが、これに限らず、例えば単一のものでも良い。
ラム４は、先の例では、断面円状であったが、これに限らず、例えば断面略半円状等でも良い。
駆動手段５は、先の例では、シリンダ１９を用いたが、これに限らず、例えば螺子機構とモータを用いたものや、チェーン・スプロケット機構とシリンダ又はモータを用いたもの等でも良い。
筒状物Ａは、先の例では、線材をコイル状に巻いた線材コイルであったが、これに限らず、例えば金属板をコイル状に巻いたもの等でも良い。
筒状物Ａは、先の例では、円筒状であったが、これに限らず、例えば角筒状等でも良い。
【図面の簡単な説明】
【００２３】
【図１】本発明の筒状物運搬装置を示す側面図。
【図２】ラム作業を行う場合を示す図１の正面図。
【図３】フォーク吊下げ作業を行う場合を示す図２と同様図。
【符号の説明】
【００２４】
１…筒状物運搬装置、２…キャリッジ、３…フォーク、４…ラム、５…駆動手段、６…リフトブラケット、７…ガイドローラ、８…フィンガバー、９…突条、１０…水平片、１１…垂直片、１２…フック、１３…案内機構、１４…横材、１５…サイドプレート、１６…ガイドシャフト、１７…センタプレート、１８…スライドプレート、１９…シリンダ、Ａ…筒状物、Ｂ…中心穴、Ｃ…架台、Ｄ…受板、Ｅ…吊り杆。
【図１】
2009073612.tif 000003
【図２】
2009073612.tif 000004
【図３】
2009073612.tif 000005